(57)【要約】【課題】  ソフトスイッチを用いた構成においても、ＡＣ電源からの供給があるときは常にオンとなることが可能な電源装置を提供する。【解決手段】  ユーザは電源装置に関して、主電源からＡＣ電力が新たに供給された際、ＡＣ電力の供給が断たれる直前のオン/オフ状態に復帰するか、それともＡＣ電力の供給が断たれる直前のオン/オフ状態に関わらずユーザが選択した電源の状態とするかを選択することが出来る。これにより、例えばメンテナンス中などの一時的に電源をオフとした状態で停電が起こった際にも、停電から復帰次第電源オンとすることが可能となり、また、電力消費の削減を求めるユーザに対しては、オン状態でＡＣ電力の供給が遮断された場合でも、ＡＣ電力の供給が復帰した際にはオフ状態となることが可能となる。【選択図】  図１
2008187871.tif 000002
【特許請求の範囲】
【請求項１】
ＡＣ電源からの電力供給がなされる場合においては、電源の状態をソフトスイッチによって切り換えることが可能であり、ＡＣ電力の供給を受けて直流電力を供給することが可能であるレギュレータと、接続された非電源供給装置に対する電力供給を遮断、復帰することが可能である切り換え手段を有する電源装置において、ユーザによる操作を受け付ける入力手段の状態に基づきＡＣ電源からの電力供給が新たになされた時の電源のモードを前記入力手段を介してユーザが選択することが可能である電源装置。
【請求項２】
請求項１に記載の電源装置において、電源の情報を記憶する不揮発メモリと、不揮発メモリに保存された情報に基づいて電源制御を行う制御手段を有する電源装置。
【請求項３】
請求項２に記載の電源装置において、不揮発メモリに保存される内容は、ＡＣ電源からの電力供給が断たれる直前の電源の状態に関する情報と、ユーザによって選択されたＡＣ電源からの電力供給が新たになされた時の電源のモードに関する情報である電源装置。
【請求項４】
請求項３に記載の電源装置において、ＡＣ電源からの電力供給が新たになされた時には直ちに請求項２に示す制御手段によってユーザが選択しているモードが参照され、ＡＣ電源からの電力供給が断たれる直前の電源の状態を再現するモードが選択されている際には再び不揮発メモリを参照して保存されている情報に応じた制御を行い、又、電源からの電力供給が断たれる直前の電源の状態に関わらずユーザによって選択された電源の状態とするモードが選択されている際には、直ちに電源をユーザによって選択された状態とすることを特徴とする電源装置。
【請求項５】
請求項１または２または３もしくは4記載の電源装置を用いた電子機器。
【発明の詳細な説明】
【技術分野】
【０００１】
本発明は、ソフトスイッチによってオン/オフを切り換える電源装置に関するものである。
【背景技術】
【０００２】
従来の電子機器は、主電源から供給される交流による電力供給をスイッチング電源などによって直流電力に変換し、これを用いて動作を行っている。
【０００３】
また、電源のオン/オフの制御には、交流電力の供給を物理的に遮断、復帰することによってオン/オフ制御を行うメカスイッチと、プッシュスイッチなどのモーメンタリスイッチによってパルスを検出し、搭載されたマイクロコンピュータとＦＥＴなどを組み合わせて前記の直流電力を遮断、復帰することによってオン/オフ制御を行うソフトスイッチとがある。
【０００４】
ソフトスイッチは、インレットとスイッチとの距離をとることが容易であり、スイッチのレイアウトを柔軟に行うことが出来るなどのメリットがあるため、広く利用されている。
【０００５】
一般にソフトスイッチでは、主電源からの電力供給が断たれると電源のオン/オフ状態がリセットされてしまうが、下記の特許文献１，２等では、搭載した不揮発メモリに電源のオン/オフ状態を記憶しておくことによって、主電源からの電力供給が復帰した際に元の状態に復帰する方法も提案されている。
【特許文献１】特開平02-155014号公報
【特許文献２】特開2003-076450号公報
【発明の開示】
【発明が解決しようとする課題】
【０００６】
従来のソフトスイッチを用いた電源装置では、主電源であるＡＣ電力が断たれると電源のオン/オフ状態がリセットされてしまうため、主電源のＡＣ電力が復帰し、再び電源オンとしたい時にはスイッチを人が操作する必要があった。
【０００７】
前記した特許文献に示される方法を用いれば、この問題は解決されるが、これらの方式はあくまでも主電源の電力供給が断たれる直前の電源状態保持する方式であるため、電源オフ状態で停電などにより主電源からの電力供給が断たれた場合には、主電源の復帰時にオンとするためには主電源の復帰を待ってスイッチを人が操作する必要がある。そのため、例えばファックス機能など主電源が復帰次第直ちに利用を開始したい機能を持った電子機器については、主電源が復帰するまで待っていなければならない。
【０００８】
本発明は前記の問題点を解決するものであり、電源オフ状態で停電などにより主電源からの電力供給が断たれた場合でも、主電源が復帰するとともに電源オンとなる電源装置を提供することが出来、また、電源がオン状態でＡＣ電力の供給が断たれた場合でも、主電源が復帰した際にはオフ状態となることが可能な電源装置を提供することを目的とする。
【課題を解決するための手段】
【０００９】
本発明において提案する電源装置は、以下のような特徴を有している。
【００１０】
1.ＡＣ電源からの電力供給がなされる場合においては、電源の状態をソフトスイッチによって切り換えることが可能であり、ＡＣ電力の供給を受けて直流電力を供給することが可能であるレギュレータと、接続された非電源供給装置に対する電力供給を遮断、復帰することが可能であるスイッチ手段と、ＡＣ電源からの電力供給が断たれる直前の電源のオン/オフ状態等を記憶する不揮発メモリと、ＡＣ電源から電力が新たに供給された際には前記不揮発メモリに保存された情報に基づいて電源制御を行う制御手段を有する電源装置において、ユーザによる操作を受け付ける入力手段の状態に基づきＡＣ電源からの電力供給が新たになされた時の電源のモードを前記入力手段を介してユーザが選択することが可能である電源装置。
【００１１】
2.１に記載の電源装置において、電源の情報を記憶する不揮発メモリと、不揮発メモリに保存された情報に基づいて電源制御を行う制御手段を有する電源装置。
【００１２】
3.２に記載の電源装置において、不揮発メモリに保存される内容は、ＡＣ電源からの電力供給が断たれる直前の電源の状態に関する情報と、ユーザによって選択されたＡＣ電源からの電力供給が新たになされた時の電源のモードに関する情報である電源装置。
【００１３】
4.３に記載の電源装置において、ＡＣ電源からの電力供給が新たになされた時には直ちに２に示す制御手段によってユーザが選択しているモードが参照され、ＡＣ電源からの電力供給が断たれる直前の電源の状態を再現するモードが選択されている際には再び不揮発メモリを参照して保存されている情報に応じた制御を行い、又、電源からの電力供給が断たれる直前の電源の状態に関わらずユーザによって選択された電源の状態とするモードが選択されている際には、直ちに電源をユーザによって選択された状態とすることを特徴とする電源装置。
【発明の効果】
【００１４】
以上説明したように、本発明によれば、機械的にオン、オフを保持しないスイッチを用いた構成においても、ＡＣ電力復帰次第直ちに電源オンとなる電源装置を提供することが可能となる。これにより、ファックス等の通常オン状態であることが求められる電子機器に対して、一時的に例えばメンテナンス中などに電源をオフとした状態で停電が起こった際にも、停電から復帰次第電源オンとすることが可能となる。また、消費電力の削減を求めるユーザに対しては、オン状態でＡＣ電力の供給が遮断された場合でも、ＡＣ電力の供給が復帰した際にはオフ状態となることが可能となる。
【発明を実施するための最良の形態】
【００１５】
以下、本発明の実施形態について添付図面を参照しながら説明する。
【実施例１】
【００１６】
図１に本発明の実施形態の１例を示す。図１は、本発明で提案する電源装置を用いた電子機器の１例をブロック図にて表現したものである。図１においては主電源１から供給される交流電力が、２のスイッチング電源によって所定のDC電圧に変換された後、さらに３，４のＤＣ−ＤＣコンバータによって、５，６の各負荷に適した電圧に変換され、電力が供給されている。
【００１７】
スイッチング電源と各負荷もしくはＤＣ‐ＤＣコンバータとは、７，８に示されるFETを介して接続されており、ＦＥＴのオン/オフによって各負荷もしくはＤＣ‐ＤＣコンバータへの電力の供給を制御することが出来る。これらのＦＥＴの制御は９に示すマイクロコンピュータ（以下略してマイコンと呼ぶ）によって行われており、電源の状態に応じてＦＥＴのオン/オフを行う。すなわち、電源オフの状態においては各スイッチをオフすることによって、消費電力を非常に小さくすることが出来る。また、各スイッチは個別にオン/オフすることも可能となっており、電子機器の稼動状態に応じて最適な電力をマネジメントすることが可能な構成となっている。
【００１８】
１０に示すスイッチは電源のオン/オフ状態を切り換えるものである。スイッチはオン/オフ状態を機械的に保持しないモーメンタリスイッチによって構成されており、スイッチが押されたことによるパルス信号をマイコンが検知すると、現在の状態に応じて電源のオン/オフの切り替えを行う。１１に示す不揮発メモリには、現在の電源の状態が記録されており、後に述べるモードに応じて値を参照し、電源の状態を決定する。１２に示すキー入力部は、電子機器の動作条件などのパラメータをユーザが設定することの出来るユーザインタフェースであり、前記のモードについてはキー入力部を通してユーザにより設定される。
【００１９】
前記の構成における動作を以下に説明する。図２は本発明で提案する電源装置における、主電源からの電力供給が新たになされた場合の動作を示したフローチャート図の１例である。図２に示される制御は９のマイコンによって実現される。
【００２０】
Ｓ２１において主電源１からのＡＣ電力の供給が開始されると、２のスイッチング電源によってＡＣ電力がＤＣ電力に変換され、さらに３のＤＣ-ＤＣコンバータによって所定の電圧に変換された後、９のマイコンへの電力供給が開始される。マイコンへ供給される電力が一定値以上となるとマイコンが起動し、Ｓ２２においてあらかじめプログラミングされた各ポートの初期化などを行う初期化ルーチン（リセットベクタ）を開始する。
【００２１】
リセットベクタが終了しＳ２３へ遷移すると、マイコンは１１の不揮発メモリに保存されているユーザによって設定されたＡＣ電力投入時の状態を決定するモードを示す変数ＳＴＭＯＤを参照する。
【００２２】
ここで、ＡＣ電力投入時のモードについて説明する。本発明で提案する電源装置は、ＡＣ電力が新たに供給された際の振る舞いについて複数のモードを有することを特徴としており、これらのモードは事前にユーザによって選択され、不揮発メモリ中の変数ＳＴＭＯＤに保存される。図２のフローチャートに示した例においては、「ＡＣ電力が遮断される直前の電源の状態を保持するモード（ＳＴＭＯＤ＝００）」と「ＡＣ電力が遮断される直前の電源の状態に関わらず電源をユーザが選択した状態とするモード（ＳＴＭＯＤ＝０１、１０，１１）」の４つを有する場合について示している。これらのモードは１２に示すキー入力部を通してユーザによって変更され、変更があった場合にはその都度マイコンが不揮発メモリに保存されているＳＴＭＯＤの値を書き換える。
【００２３】
Ｓ２３においてマイコンはＳＴＭＯＤを参照し、その値に応じた処理を行う。まず、ＳＴＭＯＤ＝００であった場合には、前記したように「ＡＣ電力が遮断される直前の電源の状態を保持するモード」が選択されているため、不揮発メモリに保存されているＡＣ電力の供給が断たれる直前の電源の状態を参照する。以下、ＳＴＭＯＤ＝００であるケースについての制御アルゴリズムについて説明する。
【００２４】
図２において、ＡＣ電力が遮断される直前の電源の状態はＰＷＳＴという変数で示されており、直前の電源状態がオフであるときはＰＷＳＴ＝００、直前の電源状態が７に示すＦＥＴのみオンであるときはＰＷＳＴ＝０１、ＦＥＴが共にオンであるときはＰＷＳＴ＝１０が書き込まれている。ＰＷＳＴ＝００である場合には直前の電源状態がオフであるため、図２におけるＳ３０へと遷移し、マイコンは電源オフの状態を実現するための制御を行う。図１を例にすると、ＦＥＴ７，８をオフとしてＤＣ-ＤＣコンバータや負荷への電力供給を遮断し、電力の消費を抑える。また、ＰＷＳＴ＝０１、１０である場合にも同様にして直前の電源の状態と同様に各ＦＥＴをオン/オフする。
【００２５】
例として、図１において５に示される負荷は、ファクシミリの通信ユニットや、プリンタのネットワーク制御ユニットなどの通常時は常にオンとしておくことが望まれる機能であるとし、また、６に示される負荷は、パワー系回路などの消費電力の高い回路であるとすると、ＰＷＳＴ＝０１であるモードは低消費電力モードであり、ＰＷＳＴ＝１０のモードは直ちに動作開始であるモードと考えることが出来る。
【００２６】
一方、ＳＴＭＯＤ＝００以外であった場合には、「ＡＣ電力が遮断される直前の電源の状態に関わらず電源をユーザが選択した状態にするモード」が選択されているため、ＰＷＳＴの値を参照することなく電源をユーザが選択している状態にする処理を実行する。つまり、図２においてＳ２３からＳ２７を経ることなく直接Ｓ３０，３１，３２へと遷移する。図３に、本実施例におけるＡＣ電力投入時の各変数の値に応じた電源の動作を示す。
【００２７】
以上のように、本実施例よれば、電源のオン/オフが機械的に保持されないモーメンタリスイッチを用いた電源装置においても、ＡＣ電力が断たれる直前の電源の状態に左右されることなく、ＡＣ電力が復帰した際には電源をオンとすることが出来る。これにより、例えば定期的なメンテナンス作業によって一時的に電源オフとしているような状況下で、停電などによりＡＣ入力が遮断された場合でも、「ＡＣ電力が遮断される直前の電源の状態に関わらず電源オンとするモード」を選択しておけば、ＡＣ電力が復帰した際には直ちに電源をオンとすることが出来る。すなわち、ファクシミリやネットワークプリンタなどの通常ＡＣ電力が供給されている状況下では電源オンとしておくことが求められる電子機器に対して有効である。
【実施例２】
【００２８】
図４に本発明の実施形態の１例を示す。図4は実施例1で示した図1と比較してキー入力部を削除し、メカスイッチを付加した構成となっている。電源装置部分の構成や詳細な動作の説明に関しては、実施例1と同様であるため省略する。
【００２９】
以下、ＡＣ電源からの電力供給が新たになされた際の電源のモードの決定と振る舞いについて説明する。図４におけるマイコンのＭＯＤポートは電源のモードを決定するポートであり、１２に示すメカスイッチがオンであるときはＭＯＤポートがＬとなり、オフである時は１３に示すプルアップ抵抗の存在によってＭＯＤポートがＨとなるため、メカスイッチのオン/オフによって電源のモードを決定することが出来る。また、メカスイッチに関しては、通常のＡＣ電力のオン/オフに使用されるような高耐圧のものは必要ないため、安価に構成することが出来る。図５に本実施例における、主電源からの電力供給が新たになされた場合の動作を示したフローチャート図の１例を示す。本実施例においては、電源の状態はオン/オフの２値となっている。
【００３０】
本実施例で示す構成によれば、キー入力部を持たない電子機器においても電源のモードを設定することが可能であるばかりでなく、ＡＣ電力の供給がなされていない環境においても電源のモードを変更することが出来る。また、不揮発メモリに電源のモードを書き込むことがない為、マイコンの負荷の軽減や不揮発メモリの容量の削減にも寄与する。その他の効果に関しては実施例1と同様である。
【００３１】
以上の実施例は本発明の実施形態の１例であり、本発明の適用範囲を限定するものではない。具体的には、図１、４においては直流電力供給の復帰、遮断を切り換える手段としてＦＥＴを用いているが、図１，４においては８に示すＦＥＴの替わりに４に示すＤＣ−ＤＣコンバータを直接起動、停止させる手段を用いることも可能である。また、図１においてはユーザによる操作を受け付ける入力手段として１２に示すキー入力部を用いているが、これは例としてプリンタでは接続されたパソコンからドライバーを通して入力することも可能である。
【図面の簡単な説明】
【００３２】
【図１】実施例１の全体構成を示すブロック図
【図２】実施例１における電源制御装置のＡＣ電力投入時のフローチャート図
【図３】実施例１における各変数の値とＡＣ電力投入時の動作の対応表
【図４】実施例２の全体構成を示すブロック図
【図５】実施例２における電源制御装置のＡＣ電力投入時のフローチャート図
【符号の説明】
【００３３】
１  主電源
２  スイッチング電源
３、４  ＤＣ−ＤＣコンバータ
５、６  負荷
７、８  ＦＥＴ
９  マイクロコンピュータ
１０  モーメンタリスイッチ
１１  不揮発メモリ
１２  メカスイッチ
１３  プルアップ抵抗
【図１】
2008187871.tif 000003
【図２】
2008187871.tif 000004
【図３】
2008187871.tif 000005
【図４】
2008187871.tif 000006
【図５】
2008187871.tif 000007